(57)【要約】【課題】圏外状態の場合においても、セルサーチに要する時間を削減し、且つ、消費電力を抑えて行う移動体通信端末及びセルサーチ方法を提供する。【解決手段】国又は地域ごとに異なる標準周波数報時局から送信される標準周波数報時電波を受信する電波時計部と、電波時計部が受信した標準周波数報時電波に基づいて特定した自端末の位置を位置情報として出力する位置検出部と、複数の移動体通信システムそれぞれに用いられるセルサーチ対象情報が、位置情報に対応付けられて記憶される対象情報記憶部と、位置検出部から入力される位置情報に基づいて、移動体通信システムの無線基地局を検出するセルサーチを行う際に用いるセルサーチ対象情報を対象情報記憶部から選択するサーチ対象選択部と、サーチ対象選択部が選択したセルサーチ対象情報を用いて、セルサーチを行う無線通信部と、を備える。【選択図】図１
2009302645.tif 000002
【特許請求の範囲】
【請求項１】
通信方式又は周波数範囲が異なる複数の移動体通信システムにおいて無線通信を行う移動体通信端末であって、
国又は地域ごとに異なる標準周波数報時局から送信される標準周波数報時電波を受信する電波時計部と、
前記電波時計部が受信した前記標準周波数報時電波に基づいて特定した自端末の位置を位置情報として出力する位置検出部と、
前記複数の移動体通信システムそれぞれに用いられるセルサーチ対象情報が、前記位置情報に対応付けられて記憶される対象情報記憶部と、
前記位置検出部から入力される前記位置情報に基づいて、前記移動体通信システムの無線基地局を検出するセルサーチを行う際に用いる前記セルサーチ対象情報を前記対象情報記憶部から選択するサーチ対象選択部と、
前記サーチ対象選択部が選択した前記セルサーチ対象情報を用いて、前記セルサーチを行う無線通信部と、
を備えることを特徴とする移動体通信端末。
【請求項２】
前記サーチ対象選択部は、更に、一定時間間隔ごとに、前記無線通信部が対応する全ての前記複数の移動体通信システムで用いられる前記通信方式又は前記周波数範囲を選択して、前記セルサーチ対象情報として、前記無線通信部に出力する
ことを特徴とする請求項１に記載の移動体通信端末。
【請求項３】
前記無線通信部は、前記セルサーチにより前記無線基地局を検出した場合、その際に用いた前記セルサーチ対象情報を前記サーチ対象選択部に出力し、
前記サーチ対象選択部は、前記位置検出部から入力された前記位置情報に対応付けられて、前記無線通信部から入力された前記セルサーチ対象情報が記憶されていない場合、前記位置情報と、入力された前記セルサーチ対象情報とを対応付けて、前記対象情報記憶部に書き込んで記憶させる
ことを特徴とする請求項１又は請求項２に記載の移動体通信端末。
【請求項４】
前記電波時計部は、特定の少数の標準周波数報時局から送信される標準周波数報時電波を受信する
ことを特徴とする請求項１乃至請求項３に記載の移動体通信端末。
【請求項５】
前記セルサーチ対象情報は、前記通信方式又は前記周波数範囲の情報を含む情報である
ことを特徴とする請求項１乃至請求項４に記載の移動体通信端末。
【請求項６】
通信方式又は周波数範囲が異なる複数の移動体通信システムにおいて無線通信を行い、前記複数の移動体通信システムそれぞれに用いられるセルサーチ対象情報が、自端末の位置を示す位置情報に対応付けられて記憶される対象情報記憶部を備える移動体通信端末におけるセルサーチ方法であって、
電波時計部が、国又は地域ごとに異なる標準周波数報時局から送信される標準周波数報時電波を受信する過程と、
位置検出部が、前記電波時計部が受信した前記標準周波数報時電波に基づいて特定した自端末の位置を位置情報として出力する過程と、
サーチ対象選択部が、前記位置検出部から入力される前記位置情報に基づいて、無線基地局を検出するセルサーチを行う際に用いる前記セルサーチ対象情報を前記対象情報記憶部から選択する過程と、
無線通信部が、前記サーチ対象選択部が選択した前記セルサーチ対象情報を用いて、前記セルサーチを行う過程と、
を備えることを特徴とするセルサーチ方法。
【発明の詳細な説明】
【技術分野】
【０００１】
本発明は、移動体通信端末及びセルサーチ方法に関し、特に複数の移動体通信システムを用いて通信を行う移動体通信端末及びセルサーチ方法に関する。
【背景技術】
【０００２】
移動体通信端末は、例えば、携帯電話機や携帯情報端末などは、移動体通信システムにおいて通信を確立する際に、まず通信可能な無線基地局（セル）を探す。この移動体通信端末の動作をセルサーチという。なお、「セル」は、無線基地局のみを示す場合と、無線基地局及び無線基地局と接続（通信）可能な空間領域を示す場合と、があるが、前後の文脈からその示すところが明瞭であるときは、単に「セル」と称する。また、以下、移動体通信端末が、無線基地局と通信可能である状態を「在圏」といい、いずれの無線基地局とも通信を行えない状態を「圏外」という。
【０００３】
移動体通信端末が、複数の移動体通信システム、例えば、Ｗ−ＣＤＭＡ（Wideband Code Division Multiple Access；広帯域符号分割多元接続）や、ＧＳＭ（Global System for Mobile communications；ジーエスエム）や、無線ＬＡＮ（Local Area Network；無線ラン）や、ＷｉＭＡＸ（Worldwide Interoperability for Microwave Access；ワイマックス）など、を用いた通信を行う機能を有している場合、移動体通信システムそれぞれの通信方式及び周波数範囲を用いて、セルサーチを行う必要がある。移動体通信端末が対応する移動体通信システムが増加すると、セルサーチの対象となる通信方式及び周波数範囲が増加し、セルサーチに要する時間が増加すると共に、移動体通信端末の消費電力も増加する。
【０００４】
これに対して、複数の事業者などにより提供される移動体通信システムに対応して通信を行う移動体通信端末で、複数の移動体通信システムのうちのいずれかの移動体通信システムに対応する無線基地局から送信される信号を受信することで得られる情報に基づいて、セルサーチを行う時間間隔を変更する技術がある（特許文献１）。これにより、移動体通信端末において、セルサーチによる消費電力の増加を抑えている。ここで、信号を受信することで得られる情報とは、セルの移り変わりの頻度や、受信信号強度などの情報である。
また、複数の移動体通信システムを用いて通信を行う移動体通信端末で、複数の移動体通信システムのうちのいずれかの移動体通信システムに対応する受信信号から得られるＭＣＣ（Mobile Country Code；国番号）に基づいて、他の移動体通信システムのセルサーチの周波数範囲を限定する技術がある（特許文献２）。これにより、移動体通信端末において、セルサーチに要する時間及び消費電力の増加を抑えている。
【特許文献１】特開２００４−３５６６８４号公報
【特許文献２】特開２００４−２３３９１号公報
【発明の開示】
【発明が解決しようとする課題】
【０００５】
しかしながら、特許文献１に示される技術においては、複数の移動体通信システムのうちいずれかの信号を受信している状態、すなわち、いずれかの移動体通信システムに在圏している必要がある。また、移動体通信端末に電源が供給された直後には、上記の方法を用いることができないという問題がある。
特許文献２に示される技術においては、国番号を通知する機能を有する移動体通信システムにおいて過去一定期間内に受信した信号に基づいて、他の移動体通信システムのセルサーチの周波数範囲の限定を行う。そのため、過去一定期間内に移動体通信システムにおいて通信できずに国番号を得ていない場合、セルサーチの周波数範囲の限定を行うことができないという問題がある。
【０００６】
本発明は、上記問題を解決すべくなされたもので、その目的は、移動通信端末が圏外状態の場合においても、セルサーチに要する時間を削減し、且つ、消費電力を抑えて行う移動体通信端末及びセルサーチ方法を提供することにある。
【課題を解決するための手段】
【０００７】
（１）上記問題を解決するために、本発明は、通信方式又は周波数範囲が異なる複数の移動体通信システムにおいて無線通信を行う移動体通信端末であって、国又は地域ごとに異なる標準周波数報時局から送信される標準周波数報時電波を受信する電波時計部と、前記電波時計部が受信した前記標準周波数報時電波に基づいて特定した自端末の位置を位置情報として出力する位置検出部と、前記複数の移動体通信システムそれぞれに用いられるセルサーチ対象情報が、前記位置情報に対応付けられて記憶される対象情報記憶部と、前記位置検出部から入力される前記位置情報に基づいて、前記移動体通信システムの無線基地局を検出するセルサーチを行う際に用いる前記セルサーチ対象情報を前記対象情報記憶部から選択するサーチ対象選択部と、前記サーチ対象選択部が選択した前記セルサーチ対象情報を用いて、前記セルサーチを行う無線通信部と、を備えることを特徴とする移動体通信端末である。
この移動体通信端末は、標準周波数報時電波を受信することで、位置検出部が自端末の位置を特定し、位置情報として出力する。更に、移動体通信端末は、位置情報に基づいて、サーチ対象選択部が、サービスが行われている移動体通信システムのサーチ対象情報を読み出して、セルサーチの対象を選択する。これにより、移動体通信端末は、セルサーチの対象を限定することができ、セルサーチに要する時間及び電力消費を抑えることが可能となる。
また、この移動体通信端末は、位置情報ごとに、移動体通信システムが用いる通信方式及び周波数範囲のセルサーチ対象情報を対応付けて記憶する対象情報記憶部を備えることで、国又は地域ごとにセルサーチに用いるセルサーチ対象情報を細かく設定することが可能となる。また、特定の国又は地域と、それ以外の国又は地域と、セルサーチ対象情報を２つのみ設定することも可能となる。
【０００８】
（２）また、本発明は、上記に記載の発明に係る移動体通信端末において、前記サーチ対象選択部は、更に、一定時間間隔ごとに、前記無線通信部が対応する全ての前記複数の移動体通信システムで用いられる前記通信方式又は前記周波数範囲を選択して、前記セルサーチ対象情報として、前記無線通信部に出力することを特徴とする。
この移動体通信端末は、一定時間間隔ごとに、無線通信部が対応する全ての移動体通信システムで用いられる通信方式及周波数範囲を使用してセルサーチを行う構成としている。これにより、特定した位置情報に対応付けられていない通信方式及び周波数範囲、例えば、移動体通信端末が存在する国又は地域で新たに提供された通信方式及び周波数範囲、の無線基地局を検出することが可能となる。
【０００９】
（３）また、本発明は、上記に記載の発明に係る移動体通信端末において、前記無線通信部は、前記セルサーチにより前記無線基地局を検出した場合、その際に用いた前記セルサーチ対象情報を前記サーチ対象選択部に出力し、前記サーチ対象選択部は、前記位置検出部から入力された前記位置情報に対応付けられて、前記無線通信部から入力された前記セルサーチ対象情報が記憶されていない場合、前記位置情報と、入力された前記セルサーチ対象情報とを対応付けて、前記対象情報記憶部に書き込んで記憶させることを特徴とする。
この移動体通信端末は、サーチ対象選択部が、対象情報記憶部に記憶されるサーチ対象情報を追加する構成としている。これにより、国又は地域で、事業者などにより新たに提供された移動体通信システムで用いられるセルサーチ対象情報を追加して、対象情報記憶部に記憶させることができる。その結果、次回以降のセルサーチに要する時間及び消費電力を削減することが可能となる。
【００１０】
（４）また、本発明は、上記に記載の発明に係る移動体通信端末において、前記電波時計部は、特定の少数の標準周波数報時局から送信される標準周波数報時電波を受信することを特徴とする。
電波時計部が受信する標準周波数報時電波を限定し、位置検出部が特定する国又は地域の数を減らすことで、対象情報記憶部に記憶される位置情報に対応するセルサーチ対象情報を減らす。これにより、電波時計部及び位置検出部が行う処理と、対象情報記憶部が要する記憶領域とを減らすことができ、移動体通信端末のサイズ及びコストなどを削減することが可能となる。
【００１１】
（５）また、本発明は、上記に記載の発明に係る移動体通信端末において、前記セルサーチ対象情報は、前記通信方式又は前記周波数範囲の情報を含む情報であることを特徴とする。
【００１２】
（６）また、本発明は、通信方式又は周波数範囲が異なる複数の移動体通信システムにおいて無線通信を行い、前記複数の移動体通信システムそれぞれに用いられるセルサーチ対象情報が、自端末の位置を示す位置情報に対応付けられて記憶される対象情報記憶部を備える移動体通信端末におけるセルサーチ方法であって、電波時計部が、国又は地域ごとに異なる標準周波数報時局から送信される標準周波数報時電波を受信する過程と、位置検出部が、前記電波時計部が受信した前記標準周波数報時電波に基づいて特定した自端末の位置を位置情報として出力する過程と、サーチ対象選択部が、前記位置検出部から入力される前記位置情報に基づいて、無線基地局を検出するセルサーチを行う際に用いる前記セルサーチ対象情報を前記対象情報記憶部から選択する過程と、無線通信部が、前記サーチ対象選択部が選択した前記セルサーチ対象情報を用いて、前記セルサーチを行う過程と、を備えることを特徴とするセルサーチ方法である。
このセルサーチ方法は、標準周波数報時電波を受信することで、位置検出部が自端末の位置を特定し、位置情報として記憶する。更に、位置情報に基づいて、サーチ対象選択部が、サービスが行われている移動体通信システムの通信方式及周波数範囲を選択する。選択された通信方式及び周波数範囲のみをセルサーチに用いることで、移動体通信端末が無線基地局との通信が行えない圏外状態においても、セルサーチに要する時間及び電力消費を抑えることが可能となる。
【発明の効果】
【００１３】
本発明によれば、移動通信端末が圏外状態において、標準周波数報時電波を受信することで、位置検出部が自端末の位置を特定し、位置情報として出力する。更に、移動体通信端末は、位置情報に基づいて、サーチ対象選択部が、サービスが行われている移動体通信システムのサーチ対象情報を読み出して、セルサーチの対象となる通信方式及び周波数範囲を選択することができる。これにより、移動体通信端末は、セルサーチに要する時間及び電力消費を抑えることが可能となる。
【発明を実施するための最良の形態】
【００１４】
以下、本発明の実施形態による移動体通信端末及びセルサーチ方法を図面を参照して説明する。なお、移動体通信端末は、例えば、携帯電話機や携帯情報端末などの通信を行う機器である。また、セルサーチは、移動体通信端末が情報の送受信を行うサービスを受けるために接続する無線基地局を検出することをいう。
【００１５】
（第１実施形態）
図１は、第１実施形態による移動体通信端末１の内部構成を示す概略ブロック図である。移動体通信端末１は、電波時計部１１、位置検出部１２、対象情報記憶部１３、サーチ対象選択部１４、無線通信部１５、及びアンテナ１７を備えている。
【００１６】
電波時計部１１は、国家標準又は国際標準として標準周波数報時電波送信所から送信されている複数の標準周波数報時電波（以下、「標準電波」という）を受信する機能を有している。また、電波時計部１１は、受信した標準電波に含まれる情報、例えば、日時情報、時刻情報及び送信所の呼出符号、及び受信した標準電波の周波数を示す情報を位置検出部１２に出力する。なお、標準電波には、各地域の時刻フォーマットで日時情報、時刻情報、及び呼出符号などが含まれている。
【００１７】
位置検出部１２は、電波時計部１１から入力される標準電波に含まれる情報、及び受信した標準電波の周波数などから自端末、すなわち移動体通信端末１が存在する位置を特定する。標準電波に含まれる情報のうち、例えば、時刻フォーマット及び呼出符号は、標準周波数報時電波送信所ごとに異なっているので、位置検出部１２は、標準電波に含まれる情報に基づいて移動体通信端末１が存在する位置が特定できる。なお、標準電波を受信することで、特定できる位置は、国又は地域である。また、位置検出部１２は、特定した自端末の位置を示す位置情報をサーチ対象選択部１４に出力する。
【００１８】
対象情報記憶部１３は、複数の位置情報それぞれに対応付けてセルサーチ対象情報を予め記憶している、すなわち、それぞれの国又は地域で提供されている移動体通信システムの情報が記録されている。ここで、セルサーチ対象情報とは、移動体通信システムで用いられる通信方式及び無線通信で用いられる周波数範囲を示す情報が含まれる情報である。ここで、通信方式は、無線通信の規格で定められた通信方法のことであり、例えば、Ｗ−ＣＤＭＡ方式、ＧＳＭ方式、ＷｉＭＡＸ方式などのことである。
【００１９】
サーチ対象選択部１４は、位置検出部１２から入力される位置情報に対応するセルサーチ対象情報を対象情報記憶部１３から読み出して、無線通信部１５に出力する。また、サーチ対象選択部１４は、位置検出部１２から入力される位置情報と、無線通信部１５から入力される通信方式及び周波数範囲とが対応付けられて記憶されていない場合、位置情報と、移動体通信システムで用いられる通信方式及び周波数範囲とを、対応付けて対象情報記憶部１３に書き込んで記憶させる。この点の詳細は後述する。
【００２０】
無線通信部１５は、複数の移動体通信システムで通信を行う機能を有している。例えば、無線通信部１５は、Ｗ−ＣＤＭＡ方式やＧＳＭ方式の通信方式に対応し、複数の周波数範囲で、アンテナ１７を介して情報の送受信を行う一般的な公知の機能を有している。また、無線通信部１５は、サーチ対象選択部１４から入力されたセルサーチ対象情報を用いて、アンテナ１７を介して、通信可能な無線基地局を検出するセルサーチを行う。また、無線通信部１５は、サーチ対象選択部１４に無線基地局を検出できたか否かを出力すると共に、セルサーチの結果得られた無線基地局との送受信に用いた通信方式及び周波数範囲をサーチ対象選択部１４に出力する。
【００２１】
図２は、第１実施形態による移動体通信端末１が行うセルサーチ動作を示すフローチャートである。図示するセルサーチの動作は、移動体通信端末１が、電源を供給された直後、又はいずれの無線基地局からも電波を受信できず、無線基地局と通信が行えない状態である圏外状態の場合に行う動作である。以下、移動体通信端末１に電源を供給し始めた直後の状態として説明する。
【００２２】
まず、移動体通信端末１において、電源が供給され始めると、サーチ対象選択部１４は、自端末が在圏状態であるか否かを判断するために、無線通信部１５が対応する全ての移動体通信システムで用いられる通信方式及び周波数範囲をセルサーチ対象として選択し、選択した通信方式及び周波数範囲をセルサーチ対象情報として無線通信部１５に出力する（ステップＳ１１）。
【００２３】
無線通信部１５は、サーチ対象選択部１４からセルサーチ対象情報が入力されると、入力されたセルサーチ対象情報に含まれる通信方式及び周波数範囲について、セルサーチを行い、在圏状態であるか否かを判定する（ステップＳ１２）。
【００２４】
無線通信部１５が通信可能な無線基地局を検出すると、すなわち、在圏状態の場合（ステップＳ１２：Ｙ）、無線通信部１５は、通信可能な無線基地局を検出したことを示す情報と、無線基地局検出の際に用いた通信方式及び周波数範囲とをサーチ対象選択部１４に出力する。サーチ対象選択部１４は、現在の位置情報と、無線通信部１５から入力された通信方式及び周波数範囲とが対応付けて対象情報記憶部１３に記憶されていないと判断すると、サーチ対象選択部１４は、当該通信方式及び当該周波数範囲をセルサーチ対象情報として、対象情報記憶部１３に書き込んで記憶させる。
移動体通信端末１は、セルサーチを終了する（エンド）。
【００２５】
無線通信部１５が通信可能な無線基地局を検出できないと、すなわち、圏外状態の場合（ステップＳ１２：Ｎ）、無線通信部１５は、無線基地局が検出できなかったことを示す情報をサーチ対象選択部１４に出力する。サーチ対象選択部１４は、位置検出部１２を介して、電波時計部１１に標準電波の受信を行うことを指示する情報を出力する（ステップＳ１３）。
【００２６】
電波時計部１１は、サーチ対象選択部１４から指示情報が入力され、標準電波を受信を開始し、標準電波を受信すると（ステップＳ１３：Ｙ）、位置検出部１２に受信した標準電波に含まれる情報、及び標準電波の周波数を示す情報を位置検出部１２に出力する。位置検出部１２は、電波時計部１１から入力された標準電波に含まれる情報、及び標準電波の周波数を示す情報に基づいて、移動体通信端末１が存在する位置、例えば国又は地域、を位置情報として特定する。また、位置検出部１２は、特定した位置情報をサーチ対象選択部１４に出力する（ステップＳ１４）。
【００２７】
サーチ対象選択部１４は、位置検出部１２から入力された位置情報に対応するセルサーチ対象情報を対象情報記憶部１３から読み出して選択する。また、サーチ対象選択部１４は、選択したセルサーチ対象情報を無線通信部１５に出力する（ステップＳ１５）。
【００２８】
一方、電波時計部１１は、サーチ対象選択部１４から指示情報が入力され、標準電波を受信開始し、標準電波を受信できないと（ステップＳ１３：Ｎ）、標準電波を受信できなかったことを示す情報を位置検出部１２に出力する。位置検出部１２は、電波時計部１１から入力された標準電波を受信できなかったことを示す情報が入力されると、位置情報が得られなかったことを示す情報をサーチ対象選択部１４に出力する。サーチ対象選択部１４は、位置検出部１２から位置情報が得られないことを示す情報が入力されると、無線通信部１５が対応する全ての移動体通信システムで用いられる通信方式及び周波数範囲を選択し、選択した通信方式及び周波数範囲をセルサーチ対象情報として無線通信部１５に出力する（ステップＳ１６）。ここで、サーチ対象選択部１４が選択する通信方式及び周波数範囲は、ステップＳ１１において、サーチ対象選択部１４が選択する通信方式及び周波数範囲と同じである。
【００２９】
無線通信部１５は、サーチ対象選択部１４からセルサーチ対象情報が入力されると、入力されたセルサーチ対象情報に含まれる通信方式及び周波数範囲について、セルサーチを行う（ステップＳ１７）。
なお、ステップＳ１６で全周波数が選択されている場合、ステップＳ１７で毎回全周波数をサーチするのは消費電力が増加してしまうため、直前まで在圏していた移動体通信システムの通信方式及び周波数範囲のみに対してセルサーチを行ってもよい。
【００３０】
無線通信部１５がセルサーチにより通信可能な無線基地局を検出すると、すなわち、在圏状態の場合（ステップＳ１８：Ｙ）、無線通信部１５は、検出した無線基地局に対応する通信方式及び周波数範囲をサーチ対象選択部１４に出力する。サーチ対象選択部１４は、無線通信部１５から入力された通信方式及び周波数範囲と、現在の位置情報とが対象情報記憶部１３に記憶されていないと判断すると、サーチ対象選択部１４は、位置情報と、入力された通信方式及び周波数範囲とを対応付けて、セルサーチ対象情報として書き込み、対象情報記憶部１３に記憶させる（ステップＳ１９）。
【００３１】
移動体通信端末１は、在圏状態になり、セルサーチの動作を終了する（エンド）。
【００３２】
無線通信部１５がセルサーチで通信可能な無線基地局を検出できないと、すなわち、圏外状態の場合（ステップＳ１８：Ｎ）、移動体通信端末１は、圏外状態にあるので、ステップＳ１７以降の動作を在圏状態になるまで、再び行う。すなわち、無線通信部１５は、ステップＳ１５、Ｓ１６でセルサーチ対象情報として選択された通信方式及び周波数範囲について、セルサーチを行い（ステップＳ１７）、通信可能な無線基地局が検出できたか否か、つまり、在圏か圏外かの判定（ステップＳ１８）を在圏状態になるまで繰り返し行う。
【００３３】
以上の動作により、移動体通信端末１は、セルサーチを行う。このように、移動体通信端末１は、サーチ対象選択部１４がセルサーチの対象となるセルサーチ対象情報を無線通信部１５に出力し、無線通信部１５がセルサーチ対象情報に基づいて、セルサーチを行う。これにより、セルサーチの対象となる移動体通信システムで用いられる通信方式及び周波数範囲を限定することができ、セルサーチに要する時間と、セルサーチによる電力消費を削減することが可能となる。
【００３４】
また、対象情報記憶部１３に記憶されるセルサーチ対象情報を追加することで、以降のセルサーチを行う際、適切な通信方式及周波数範囲を選択することができる。例えば、ある国又は地域で、通信方式に周波数範囲が追加されたり、若しくは、今までサービスが行われていなかった通信方式によるサービスが開始されたりした場合においても、セルサーチに要する時間を削減することが可能となる。
【００３５】
なお、移動体通信端末１に電源を供給始めた直後の状態について説明したが、移動体通信端末１が有するいずれかの移動体通信システムで在圏状態から、全ての移動体通信システムで圏外状態になった場合についても、同様のセルサーチ動作を行う。
更に、ステップＳ１１において、無線通信部１５が対応する全ての移動体通信システムで用いられる通信方式及び周波数範囲に対してセルサーチを行わずに、直前まで在圏していた移動体通信システムの通信方式及び周波数範囲のみに対してセルサーチを行ってもよい。移動体通信端末１が移動している場合、一旦圏外状態になっても、再び在圏状態になることがあるためである。このように、セルサーチの対象となる通信方式及び周波数範囲を限定することで、セルサーチに要する時間及び電力消費を抑えることが可能となる。
【００３６】
また、ステップＳ１８で圏外状態の場合、直ちにステップＳ１７以降の動作を繰返さずに、一定時間経過の後にステップＳ１７以降の動作を行うようにしてもよい。そのとき、移動体通信端末１は、タイマーを備えて、一定時間経過を検出の後に、無線通信部１５が再びセルサーチを行う。これにより、セルサーチの頻度を抑えて、セルサーチによる電力の消費を抑えることが可能となる。
【００３７】
（第２実施形態）
図３は、第２実施形態による移動体通信端末１Ａの内部構成を示す概略ブロック図である。移動体通信端末１Ａは、電波時計部１１、位置検出部１２、対象情報記憶部１３、サーチ対象選択部１４Ａ、無線通信部１５、タイマー部１６、及びアンテナ１７を備えている。
移動体通信端末１Ａにおいて、サーチ対象選択部１４Ａ及びタイマー部１６以外は、第１実施形態の移動体通信端末１と同じ構成であるため同じ符号１１〜１３、１５、１７を付ししてその説明を省略し、以下、異なる構成のサーチ対象選択部１４Ａ及びタイマー部１６について説明する。
【００３８】
サーチ対象選択部１４Ａは、位置検出部１２から入力される位置情報に対応するセルサーチ対象情報を対象情報記憶部１３から読み出して選択し、選択したセルサーチ対象情報を無線通信部１５に出力する。また、サーチ対象選択部１４Ａは、タイマー部１６から予め定めた時間が経過してタイマー満了を示す情報が入力されるたびに、無線通信部１５が対応する移動体通信システムで用いられる通信方式及び周波数範囲の全てを選択して、セルサーチ対象情報として無線通信部１５に出力する。これにより、一定時間間隔ごとに、無線通信部１５が対応する移動体通信システムで用いられる通信方式及び周波数範囲の全てを使ってセルサーチが行われる。
タイマー部１６は、無線通信部１５から圏外状態であることを示す情報が、サーチ対象選択部１４Ａを介して入力されると、カウントを開始し、予め定められた時間が経過するごとにタイマー満了を示す情報をサーチ対象選択部１４Ａに出力する。
【００３９】
図４は、第２実施形態による移動体通信端末１Ａのセルサーチ動作を示すフローチャートである。図示するセルサーチの動作は、移動体通信端末１Ａが、電源を供給された直後、又は、いずれの無線基地局からも電波を受信できず、無線基地局と通信が行えない状態（圏外状態）の場合に行う動作である。以下、移動体通信端末１Ａに電源を供給し始めた直後の状態として説明する。
【００４０】
まず、移動体通信端末１Ａにおいて、電源が供給され始めると、サーチ対象選択部１４Ａは、自端末が在圏状態であるか否かを判断するために、無線通信部１５が対応する全ての移動体通信システムの通信方式及び周波数範囲をセルサーチ対象として選択して、無線通信部１５に出力する（ステップＳ１１Ａ）。
【００４１】
無線通信部１５は、サーチ対象選択部１４Ａからセルサーチ対象情報が入力されると、入力されたセルサーチ対象情報に基づいて、セルサーチを行い、在圏状態であるか否かを判定する（ステップＳ１２Ａ）。
【００４２】
無線通信部１５が、通信可能な無線基地局を検出すると、すなわち、在圏状態の場合（ステップＳ１２Ａ：Ｙ）、後述するステップＳ２１Ａの動作を行う。
【００４３】
一方、無線通信部１５が、全ての移動体通信システムの通信方式及び周波数範囲について通信可能な無線基地局を検出できないと、すなわち、圏外状態の場合（ステップＳ１２：Ｎ）、無線通信部１５は、無線基地局を検出できなかったことを示す情報をサーチ対象選択部１４に出力する。サーチ対象選択部１４は、位置検出部１２を介して、電波時計部１１に標準電波の受信を行うことを指示する情報を出力する（ステップＳ１３Ａ）。
【００４４】
電波時計部１１が標準電波を受信すると（ステップＳ１３Ａ：Ｙ）、電波時計部１１は、位置検出部１２に受信した標準電波に含まれる情報、及び標準電波の周波数を示す情報を位置検出部１２に出力する。位置検出部１２は、電波時計部１１から入力された標準電波に含まれる情報、及び標準電波の周波数を示す情報に基づいて、移動体通信端末１Ａが存在する位置、例えば国又は地域、を位置情報として特定する。また、位置検出部１２は、特定した位置情報をサーチ対象選択部１４Ａに出力する（ステップＳ１４Ａ）。
【００４５】
サーチ対象選択部１４Ａは、位置検出部１２から入力された位置情報に対応するセルサーチ対象情報を対象情報記憶部１３から読み出して選択する（ステップＳ１５Ａ）。
【００４６】
一方、電波時計部１１が標準電波を受信できないと（ステップＳ１３Ａ：Ｎ）、電波時計部１１は、標準電波を受信できなかったことを示す情報を位置検出部１２に出力する。位置検出部１２は、電波時計部１１から入力された標準電波を受信できなかったことを示す情報が入力されると、位置情報が得られなかったことを示す情報をサーチ対象選択部１４に出力する。サーチ対象選択部１４は、位置検出部１２から位置情報が得られないことを示す情報が入力されると、無線通信部１５が対応する全ての移動体通信システムの通信方式及び周波数範囲を、セルサーチの対象として選択する（ステップＳ１６Ａ）。
【００４７】
続いて、サーチ対象選択部１４Ａは、タイマー部１６からタイマー満了の情報が入力されているか否かを判定する（ステップＳ１７Ａ）。
【００４８】
サーチ対象選択部１４Ａがタイマー部１６からタイマー満了の情報が入力されていないと（ステップＳ１７Ａ：Ｎ）、サーチ対象選択部１４Ａは、選択したセルサーチ対象情報を無線通信部１５に出力する。無線通信部１５は、サーチ対象選択部１４Ａからセルサーチ対象情報が入力されると、入力されたセルサーチ対象情報に基づいて、セルサーチを行う（ステップＳ１８Ａ）。
なお、ステップＳ１６Ａで全周波数が選択されている場合、ステップＳ１８Ａで毎回全周波数をサーチするのは消費電力が増加してしまうため、直前まで在圏していた移動体通信システムの通信方式及び周波数範囲のみに対してセルサーチを行ってもよい。
【００４９】
一方、サーチ対象選択部１４Ａがタイマー部１６から一定時間間隔が経過したとのタイマー満了の情報が入力されると（ステップＳ１７Ａ：Ｙ）、サーチ対象選択部１４Ａは、無線通信部１５が対応する全ての移動体通信システムの通信方式及び周波数範囲を選択し、選択した通信方式及び周波数範囲をセルサーチ対象情報として無線通信部１５に出力する。無線通信部１５は、サーチ対象選択部１４Ａから入力されたセルサーチ対象情報に基づいて、セルサーチを行う（ステップＳ１９Ａ）。ここで、ステップＳ１９Ａにおいて、サーチ対象選択部１４Ａが選択する通信方式及び周波数範囲は、ステップＳ１１Ａにおけるサーチ対象選択部１４Ａ、及びステップＳ１６Ａにおけるサーチ対象選択部１４Ａが選択する通信方式及び周波数範囲と同じである。
【００５０】
ステップＳ１８Ａ又はステップＳ１９Ａにおいて、無線通信部１５が通信可能な無線基地局を検出すると、すなわち、在圏状態の場合、（ステップＳ２０Ａ：Ｙ）、無線通信部１５は、無線基地局を検出する際に用いた通信方式及び周波数範囲をサーチ対象選択部１４Ａに出力する。サーチ対象選択部１４Ａは、無線通信部１５から入力された通信方式及び周波数範囲と、現在の位置情報とが対応付けられて、対象情報記憶部１３に記憶されていないと判断すると、位置情報と、当該通信方式及び当該周波数範囲とを対応付けて、セルサーチ対象情報として対象情報記憶部１３に書き込んで記憶させる（ステップＳ２１Ａ）。
【００５１】
移動体通信端末１は、在圏状態になり、セルサーチの動作を終了する（エンド）。
【００５２】
一方、ステップＳ１８Ａ又はステップＳ１９Ａにおいて、無線通信部１５が通信可能な無線基地局を検出できないと、すなわち、圏外状態の場合（ステップＳ２０：Ｎ）、移動体通信端末１は、圏外状態にあるので、ステップＳ１７Ａ以降の動作を在圏状態になるまで、一定時間間隔ごとに再び行う。すなわち、無線通信部１５は、ステップＳ１５Ａ、Ｓ１６Ａでセルサーチ対象情報として選択された通信方式及び周波数範囲について、セルサーチを行い（ステップＳ１８Ａ）、又は、無線通信部１５が対応する全ての移動体通信システムの通信方式及び周波数範囲について、セルサーチを行い（ステップＳ１９Ａ）、通信可能な無線基地局が検出できたか否かの判定（ステップＳ２０Ａ）を在圏状態になるまで繰り返し行う。
【００５３】
以上、説明したように、移動体通信端末１Ａは、セルサーチを行う。
第２実施形態の移動体通信端末１Ａは、第１実施形態の移動体通信端末１に比べ、タイマー部１６を備えたことで、一度受信した標準電波により選択されたセルサーチ対象情報のみを用いるだけでなく、定期的に無線通信部１５が対応する全ての移動体通信システムで用いられる通信方式及び周波数範囲に対してセルサーチを行う。これにより、セルサーチ中に、移動体通信端末１Ａが、選択したセルサーチ対象情報に該当しない国又は地域に移動した場合においても、セルサーチを行うことが可能になる。また、移動体通信システムを提供する事業者などの変更により、対象情報記憶部１３に記憶されているサーチ対象情報が、現在の移動体通信システムの提供状態と異なる場合であっても、移動体通信端末１Ａは、セルサーチを行うことが可能になる。
【００５４】
なお、移動体通信端末１Ａに電源を供給始めた直後の状態について説明したが、移動体通信端末１Ａが対応する複数の移動体通信システムのいずれかでの在圏状態から、全ての移動体通信システムで圏外状態になった場合についても、同様のセルサーチ動作を行う。
更に、ステップＳ１１Ａにおいて、移動体通信端末１Ａが対応する全ての移動体通信システムで用いられる通信方式及び周波数範囲に対してセルサーチを行わずに、直前まで在圏していた移動体通信システムで用いられる通信方式及び周波数範囲のみをセルサーチの対象とし、セルサーチを行ってもよい。移動体通信端末１Ａが移動している場合、一旦圏外状態になっても、再び在圏状態になることがあるためである。このように、セルサーチの対象となる通信方式及び周波数範囲を限定することで、セルサーチに要する時間及び電力消費を抑えることが可能となる。
【００５５】
また、ステップＳ２０Ａで圏外状態の場合、直ちにステップＳ１７Ａ以降の動作を繰返さずに、一定時間経過の後にステップＳ１７Ａ以降の動作を行うようにしてもよい。そのとき、移動体通信端末１Ａは、タイマー部１６とは別のタイマーを備えて、一定時間経過を検出の後に、無線通信部１５が再びセルサーチを行う。これにより、セルサーチの頻度を抑えて、セルサーチによる電力の消費を抑えることが可能となる。
【００５６】
なお、タイマー部１６に替えて、ステップＳ１８Ａで行うセルサーチの回数をカウントして、予め定めた一定のセルサーチ時間間隔ごとに、ステップＳ１９Ａで行うセルサーチを行うタイミングを、サーチ対象選択部１４Ａに出力するカウンタ部を備えてもよい。
【００５７】
（第３実施形態）
図５は、第３実施形態による移動体通信端末２の内部構成を示す概略ブロック図である。移動体通信端末２は、電波時計部２１、位置検出部２２、対象情報記憶部２３、サーチ対象選択部２４、無線通信部２５、及びアンテナ２７を備える。
【００５８】
電波時計部２１は、国家標準又は国際標準として送信されている標準周波数報時電波（以下、標準電波）のうち予め定めた１つを受信する機能を有し、受信した標準電波に含まれる情報、及び受信した標準電波の周波数を示す情報を位置検出部２２に出力する。なお、標準電波には、各地域の時刻フォーマットでタイムコードが含まれており、標準電波を受信することで、移動体通信端末２の存在する位置、特定の国又は地域に存在するか否かを判定することができる。
位置検出部２２は、電波時計部２１から入力される標準電波に含まれる情報、及び標準電波の周波数から、移動体通信端末２が特定の国又は地域に存在するか否かを位置情報として判定する。また、位置検出部２２は、判定した位置情報をサーチ対象選択部２４に出力する。
【００５９】
対象情報記憶部２３には、特定の位置情報に対するセルサーチ対象情報と、特定の位置情報以外に対するセルサーチ対象情報と、２つのセルサーチ対象情報が記憶されている。
【００６０】
サーチ対象選択部２４は、位置検出部２２から入力される位置情報に対応するセルサーチ対象情報を対象情報記憶部２３から読み出して、無線通信部２５に出力する。また、サーチ対象選択部２４は、無線通信部２５から入力される通信方式及び周波数範囲と、位置検出部２２から入力される位置情報とが、対象情報記憶部２３に記憶されていないと判断すると、サーチ対象選択部２４は、位置情報と、入力された通信方式及び周波数範囲とを対応付けてセルサーチ対象情報として、対象情報記憶部２３に書き込んで追加させる。
【００６１】
無線通信部２５は、複数の移動体通信システムで通信を行う機能を有している。例えば、無線通信部２５は、Ｗ−ＣＤＭＡ方式及びＧＳＭ方式の通信方式に対応し、複数の周波数範囲で、アンテナ２７を介して情報の送受信を行う一般的な公知の機能を有している。また、無線通信部２５は、サーチ対象選択部２４から入力された通信方式及び周波数範囲に基づいて、アンテナ２７を介して、通信可能な無線基地局を検出するセルサーチを行う。また、無線通信部２５は、サーチ対象選択部２４に無線基地局を検出できたか否かを出力すると共に、セルサーチの結果得られた無線基地局に対応する通信方式及び周波数範囲をサーチ対象選択部２４に出力する。
【００６２】
移動体通信端末２は、例えば、日本国内で受信可能な特定の少数の標準電波を受信する機能を有する電波時計部２１を備えることで、位置検出部２２に日本国内に存在するか否かの判定を行わせる。サーチ対象選択部２４は、対象情報記憶部２３から日本国内用のセルサーチ対象情報を読み出して選択し、選択したセルサーチ対象情報を用いて無線通信部２５にセルサーチさせる。また、日本国外に存在する場合、サーチ対象選択部２４は、対象情報記憶部２３から日本国外用のセルサーチ対象情報を読み出して選択し、選択したセルサーチ対象情報を用いて、無線通信部２５にセルサーチをさせる。
【００６３】
図６は、第３実施形態による移動体通信端末２が行うセルサーチ動作を示すフローチャートである。図示するセルサーチの動作は、移動体通信端末２が、電源を供給された直後、又はいずれの無線基地局からも電波を受信できず、無線基地局と通信が行えない状態である圏外状態の場合に行う動作である。以下、移動体通信端末２に電源を供給始めた直後の状態として説明する。
【００６４】
まず、移動体通信端末２において、電源が供給され始めると、サーチ対象選択部２４は、自端末が在圏状態であるか否かを判断するために、無線通信部２５が対応する全ての移動体通信システムで用いられる通信方式及び周波数範囲をセルサーチ対象情報として選択し、選択したセルサーチ対象情報を無線通信部２５に出力する（ステップＳ２１）。
【００６５】
無線通信部２５は、サーチ対象選択部２４からセルサーチ対象情報が入力されると、入力されたセルサーチ対象情報に含まれる通信方式及び周波数範囲について、セルサーチを行い、在圏状態であるか否かを判定する（ステップＳ２２）。
【００６６】
無線通信部２５が通信可能な無線基地局を検出すると、在圏状態の場合（ステップＳ２２：Ｙ）、後述するステップＳ２９の動作を行う。
移動体通信端末１は、セルサーチを終了する（エンド）。
【００６７】
無線通信部２５が通信可能な無線基地局を検出できないと、すなわち、圏外状態の場合（ステップＳ２２：Ｎ）、無線通信部２５は、無線基地局を検出できなかったことを示す情報をサーチ対象選択部２４に出力する。サーチ対象選択部２４は、位置検出部２２を介して、電波時計部２１に予め定められた標準電波の受信を行うことを指示する情報を出力する（ステップＳ２３）。
【００６８】
電波時計部２１が、予め定めた標準電波を受信できないと（ステップＳ２３：Ｎ）、電波時計部２１は、標準電波を受信できなかったことを示す情報を位置検出部２２に出力する。位置検出部２２は、電波時計部２１から入力された標準電波を受信できなかったことを示す情報が入力されると、当該情報をサーチ対象選択部２４に出力する。サーチ対象選択部２４は、位置検出部２２から入力された標準電波を受信できなかったことを示す情報により、自端末が位置する国又は地域と、予め定められた国又は地域と自端末の位置とが異なると判断すると（ステップＳ２３：Ｎ）、予め定められた国又は地域以外を示す位置情報に対応付けられたセルサーチ対象情報を対象情報記憶部２３から読み出して選択する（ステップＳ２４）。
【００６９】
電波時計部２１が予め定めた標準電波を受信すると（ステップＳ２３：Ｙ）、電波時計部２１は、位置検出部２２に受信した標準電波に含まれる情報、及び標準電波の周波数を示す情報を位置検出部２２に出力する。位置検出部２２は、電波時計部２１から入力された標準電波に含まれる情報、及び標準電波の周波数を示す情報に基づいて、移動体通信端末１が予め定めた国又は地域に存在するか否かを判定して、位置情報とする。また、位置検出部２２は、位置情報をサーチ対象選択部２４に出力する（ステップＳ２５）。
【００７０】
サーチ対象選択部２４は、位置検出部２２から入力された位置情報の示す国又は地域と、予め定められた国又は地域とが一致すると判断すると、予め定められた国又は地域を示す位置情報に対応付けられたセルサーチ対象情報を、対象情報記憶部２３から読み出して選択する（ステップＳ２６）。
【００７１】
サーチ対象選択部２４は、ステップＳ２４又はステップＳ２６で選択したセルサーチ対象情報を無線通信部２５に出力する。無線通信部２５は、サーチ対象選択部２４からセルサーチ対象情報が入力されると、セルサーチ対象情報に基づいてセルサーチを行う（ステップＳ２７）。
【００７２】
ステップＳ２７のセルサーチの結果、通信可能な無線基地局を検出できた場合、（ステップＳ２８：Ｙ）、無線通信部２５は、検出した無線基地局に対応する通信方式及び周波数範囲をサーチ対象選択部２４に出力する。サーチ対象選択部２４は、無線通信部２５から入力された通信方式及び周波数範囲と、現在の位置情報とが対応付けられて、対象情報記憶部２３に記憶されていないと判断すると、位置情報と、通信方式及び周波数範囲とを対応付けてセルサーチ対象情報として書き込んで、対象情報記憶部２３に記憶させる（ステップＳ２９）。
【００７３】
移動体通信端末２は、在圏状態になり、セルサーチの動作を終了する（エンド）。
【００７４】
ステップＳ２７のセルサーチの結果、通信可能な無線基地局を検出できない場合、（ステップＳ２８：Ｎ）、移動体通信端末２は、圏外状態にあるので、ステップＳ２７以降の動作を在圏状態になるまで、再び行う。すなわち、無線通信部２５は、ステップＳ２４、Ｓ２６でセルサーチ対象情報として選択された通信方式及び周波数範囲について、セルサーチを行い（ステップＳ２７）、通信可能な無線基地局が検出できたか否か、つまり、在圏か圏外かの判定（ステップＳ２８）を在圏状態になるまで繰り返し行う。
なお、ある一定期間無線基地局が検出できなければ、無線通信部２５が対応する全ての移動体通信システムの通信方式及び周波数範囲をセルサーチ対象情報として選択してもよい。
【００７５】
以上、説明したように、移動体通信端末２は、セルサーチを行う。
第１実施形態の移動体通信端末１に比べ、移動体通信端末２は、対象情報記憶部２３に、特定の位置情報と、それ以外の位置情報とそれぞれに対応する２つのセルサーチ対象情報を記憶する構成としている。これにより、第１実施形態の移動体通信端末１及び第２実施形態の移動体通信端末１Ａに比べ、対象情報記憶部２３に要する記憶領域を減らすことができる。また、電波時計部２１は、特定の標準電波１つのみを受信できればよいので、電波時計部２１を構成する回路サイズを小さくすることができる。更に、位置検出部２２についても、特定する国又は地域が、１つで済むので、同様に回路サイズを小さくすることができる。この結果、セルサーチの機能を実装する際のコスト削減が可能となる。
【００７６】
移動体通信端末２のような形態は、例えば、専ら日本国内でのみ用い、ほとんど日本国外で使用する機会がない移動体通信端末などに用いるのに適した形態である。
【００７７】
なお、電波時計部１１が複数の標準電波を受信する場合、電波強度の強い標準電波を選択して用いる。また、電波時計部１１が複数の標準電波を受信する場合、受信する複数の標準電波により検出した複数の位置情報に対応するセルサーチ対象情報を用いて、セルサーチを行うようにしてもよい。
【００７８】
なお、無線通信部１５及び無線通信部２５は、Ｗ−ＣＤＭＡ方式及びＧＳＭ方式の通信方式だけでなく、ＷｉＭＡＸ方式などの通信方式の機能を備えてもよい。その場合、対象情報記憶部１３は、セルサーチ対象情報として、備える通信方式及び当該通信方式に用いられる周波数範囲を含む情報を記録することになる。
【００７９】
なお、上記の第１実施形態から第３実施形態において、セルサーチを行う際に用いるセルサーチ対象情報に含まれる通信方式は、同じで周波数範囲のみ異なってもよい。例えば、セルサーチに通信方式としてＧＳＭ方式が通信方式として用いられ、周波数範囲のみが異なる場合である。また、セルサーチ対象情報には、通信方式又は周波数範囲のみが含まれていてもよい。通信方式のみ含まれる場合は、無線通信部１５、２５が対応する移動体通信システムで用いられる通信方式が１つで、周波数範囲のみが異なることになる。また、周波数のみの含まれる場合は、無線通信部１５、２５が対応する移動体通信システムで用いられる周波数範囲が、同じで通信方式が異なることになる。
【００８０】
また、上記の第１実施形態から第３実施形態において、サーチ対象情報の追加（ステップＳ１９、Ｓ２１Ａ、Ｓ３１）を行っているが、行わなくてもよい。その場合、対象情報記憶部１３、２３には、サーチ対象情報を追加して記憶する領域を用意する必要がなく、記憶領域を削減することで、移動体通信端末に要するサイズやコストを削減することができる。
【００８１】
また、上記の第１実施形態から第３実施形態において、標準電波を受信して国又は地域を特定することに替えて、ＧＰＳ（Global Positioning System；全地球測位システム）を用いて国又は地域を特定してもよい。
【００８２】
上述のサーチ対象選択部１４、１４Ａ、２４、及び位置検出部１２、２２は内部に、コンピュータシステムを有していてもよい。その場合、上述したセルサーチの処理過程は、プログラムの形式でコンピュータ読み取り可能な記録媒体に記憶されており、このプログラムをコンピュータが読み出して実行することによって、上記処理が行われることになる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【産業上の利用可能性】
【００８３】
本発明は、携帯電話機などの移動体通信端末に用いて好適であるが、これに限定されない。
【図面の簡単な説明】
【００８４】
【図１】第１実施形態における移動体通信端末の構成を示す概略ブロック図である。
【図２】第１実施形態における移動体通信端末の動作を示すフローチャートである。
【図３】第２実施形態における移動体通信端末の構成を示す概略ブロック図である。
【図４】第２実施形態における移動体通信端末の動作を示すフローチャートである。
【図５】第３実施形態における移動体通信端末の構成を示す概略ブロック図である。
【図６】第３実施形態における移動体通信端末の動作を示すフローチャートである。
【符号の説明】
【００８５】
１…移動体通信端末、１Ａ…移動体通信端末
１１…電波時計部、１２…位置検出部、１３…対象情報記憶部
１４…サーチ対象選択部、１４Ａ…サーチ対象選択部
１５…無線通信部、１６…タイマー部、１７…アンテナ
２…移動体通信端末
２１…電波時計部、２２…位置検出部、２３…対象情報記憶部
２４…サーチ対象選択部、２５…無線通信部、２７…アンテナ
【図１】
2009302645.tif 000003
【図２】
2009302645.tif 000004
【図３】
2009302645.tif 000005
【図４】
2009302645.tif 000006
【図５】
2009302645.tif 000007
【図６】
2009302645.tif 000008